(57)【要約】【課題】  車載オーディオで走行中に音楽を調整したい場合に、リアルタイムな操作性が乏しいという課題があった。【解決手段】  本発明の車載音楽再生制御装置は、車両の車速を取得する車速取得部と、再生する音楽の高音域を調整する第一の領域と音楽の低音域を調整する第二の領域とからなる音質調整画面を生成する音質調整画面生成部と、音質調整画面の各領域に対する操作入力に基づいて、音楽の各音域の音質の調整を行う音質調整部と、を備え、車速取得部が取得する車速が大きくなるのに従い、第二の領域の面積を大きくすることを特徴とする。【選択図】      図１
2019175069.tif 000002
【特許請求の範囲】
【請求項１】
車両の車速を取得する車速取得部と、
再生する音楽の高音域を調整する第一の領域と前記音楽の低音域を調整する第二の領域とからなる音質調整画面を生成する音質調整画面生成部と、
前記音質調整画面の各領域に対する操作入力に基づいて、前記音楽の各音域の音質の調整を行う音質調整部と、
を備え、
前記車速取得部が取得する車速が大きくなるのに従い、前記第二の領域の面積を大きくすることを特徴とする車載音楽再生制御装置。
【請求項２】
前記第二の領域の操作入力に応じて、前記音質調整部は前記音楽の低音域を強調する調整を行うとともに、前記音質調整画面生成部は前記第二の領域の面積を小さくすることを特徴とする請求項１に記載の車載音楽再生制御装置。
【請求項３】
前記操作入力は、前記音質調整画面の第一の領域及び第二の領域に対するフリック操作であることを特徴とする請求項第１項または請求項第２項のいずれか１項に記載の車載音楽再生制御装置。
【請求項４】
前記音質調整画面は、ナビ画面またはメニュー画面に重畳して透過表示されることを特徴とする請求項第１項または請求項第２項のいずれか１項に記載の車載音楽再生制御装置。
【請求項５】
前記車両が走行している道路の道路種別を取得する道路種別取得部をさらに備え、
前記道路種別取得部が取得した道路種別が高速道路または自動車専用道路のときに、前記音質調整画面生成部は前記音質調整画面を生成することを特徴とする請求項第１項または請求項第２項のいずれか１項に記載の車載音楽再生制御装置。
【発明の詳細な説明】
【技術分野】
【０００１】
本発明は画面操作による走行時の音質調整を制御する車載音楽再生制御装置に関する。
【背景技術】
【０００２】
例えば、特許文献１は、車載機器を操作する操作画面へ移動するための選択画面から、「音楽再生装置」の項目がタッチ操作されると、音楽再生装置の出力設定（例えば、複数のスピーカーの音量バランス等を調整するバランス設定、高音設定、及び低音設定）の操作画面が表示され、この操作画面には、左右方向に設定範囲をもつ操作スイッチが複数表示されて、ユーザーは操作スイッチの設定範囲内をタッチ操作することで、そのタッチ操作した左右位置に相当する設定に変更する技術を開示している。
【先行技術文献】
【特許文献】
【０００３】
【特許文献１】特開２０１３−０２０３３４
【発明の概要】
【発明が解決しようとする課題】
【０００４】
しかしながら、上記特許文献１によると、操作画面へ移動するための選択画面から、「音楽再生装置」の項目がタッチ操作されると、音楽再生装置の出力設定の操作画面が表示されるにとどまっている。その為、運転中に上層の画面から下層の音楽再生装置メニュー、設定メニューに入る為の操作をする手間が発生する。よって、運転者が調整したいタイミングでのリアルタイムな操作性が乏しいという課題があった。
また、視線を逸らしてメニュー画面内の設定等のボタン押下、音質調整機能を選択し、ユーザーが所望する設定値になるよう設定を変更する等の一連の複数操作が必要となる。
【０００５】
一般的に車両は車速上昇に伴い、音楽再生装置等の低音域に対する走行ロードノイズの騒音量が増加する。これにより、車室内で再生される音楽再生装置音声の低音域が騒音により埋もれてしまう。これを考慮し、多くのカーナビゲーションで、車速に応じ低音域を強調するシステムが導入されている。しかし、このシステムはユーザーの気づかない内に、カーナビゲーションの内部で自動的に適応されてしまう。
【０００６】
本発明は、上記のような課題を解決するためになされたもので、車速取得機能を備え、さらに表示画面に音楽の低音域及び高音域の音質調整を行う領域の二つ以上からなる音質調整画面をメニュー画面、ナビ画面上に簡易的に重畳表示することにより、車速の変化に伴う低音域での騒音の増減時に、音質調整画面の低音域を強調する領域が増減するため強調効果を視覚的に捉えやすく、車速に応じた直観的な音質調整がリアルタイムに可能となる。
【課題を解決するための手段】
【０００７】
本発明の車載音楽再生制御装置は、車両の車速を取得する車速取得部と、再生する音楽の高音域を調整する第一の領域と音楽の低音域を調整する第二の領域とからなる音質調整画面を生成する音質調整画面生成部と、音質調整画面の各領域に対する操作入力に基づいて、音楽の各音域の音質の調整を行う音質調整部と、を備え、車速取得部が取得する車速が大きくなるのに従い、第二の領域の面積を大きくすることを特徴とする。
【発明の効果】
【０００８】
本発明によれば、音楽再生装置に対する運転者の意図したタイミングでの音質調整を可能にする簡便な操作画面を提供する。
【図面の簡単な説明】
【０００９】
【図１】本発明の音楽再生装置制御装置の全体構成のブロック図
【図２】本発明の音楽再生装置制御装置のハードウェア構成例を示す図である。
【図３】メニュー画面及び重畳表示される音質調整画面の例
【図４】本発明のフローチャートを示す図
【図５】車速取得後及びフリック操作後それぞれの音質調整画面の表示例
【発明を実施するための形態】
【００１０】
実施の形態１
【００１１】
図１に本発明の全体構成のブロック図を示す。図１に示すように、車速取得部１１は車両より車速信号を受け取る。音質調整画面生成部１２は音楽再生装置１５で再生すべき音楽の音質を調整するための音質調整画面を生成する。音質調整部１３は音楽再生装置１５で再生すべき音楽の音質を調整する。表示部１５には、音楽再生装置１６で再生すべき音楽等を指定するメニュー画面（後述）及び音質調整画面生成部１２が生成する音質調整画面が表示される。なお、本発明の音楽再生装置制御装置１４は、車速取得部１１、音質調整画面生成部１２、音質調整部１３から構成される。
【００１２】
次に、音楽再生制御装置１４のハードウェア構成例について、図２を用いて説明する。
【００１３】
図２は、車載音楽再生制御装置１４の中の音質調整部１３の機能を、主にメモリ２２に格納されるプログラムを実行するＣＰＵ（Ｃｅｎｔｒａｌ  Ｐｒｏｃｅｓｓｉｎｇ  Ｕｎｉｔ）２１及びＤＳＰ（Ｄｉｇｉｔａｌ  Ｓｉｇｎａｌ  Ｐｒｏｃｅｓｓｏｒ）２２で実現した場合のハードウェア構成例を示す図である。この場合、音質調整部１２の機能は、ソフトウェア、ファームウェア、又は、ソフトウェアとファームウェアとの組合せにより実現される。ソフトウェア及びファームウェアはプログラムとして記述され、メモリ２２に格納される。ＣＰＵ２１及びＤＳＰ２２は、メモリ２２に格納されたプログラムを読み出して実行することにより、音質調整部１３の機能を実現する。すなわち、車載音楽再生制御装置１４は、後述する図４のフローチャートで示すステップＳＴ１〜ＳＴ５の処理が結果的に実行されることになるプログラム等を格納するためのメモリ２２を有する。ここで、メモリ２２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）若しくはＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等の、不揮発性若しくは揮発性の半導体メモリ、又は、磁気ディスク、フレキシブルディスク、光ディスク、コンパクトディスク、ミニディスク若しくはＤＶＤ（Ｄｉｇｉｔａｌ  Ｖｅｒｓａｔｉｌｅ  Ｄｉｓｃ）等のディスク状の記録媒体等が該当する。
【００１４】
図３（ａ）に音楽再生のためのメニュー画面の例を示す。予め、車速の大きさに応じて、メニュー画面３１に重畳表示される音質調整画面は、図３（ｂ）に示すような各領域（高音域を調整するための第一の領域３２、低音域を調整するための第二の領域３３）の表示画面に対して分割割合を設定しておく。図１に示す車速取得部１１が受け取った車速に応じて、予め決められた分割割合で、表示部１５に音質調整画面の各領域を描画する。例えば、車速が１０ｋｍ未満の場合は、第一の領域：第二の領域＝２：１、車速が１０ｋｍ以上で３０ｋｍ未満の場合は、第一の領域：第二の領域＝１：１、車速が３０ｋｍ以上の場合は、第一の領域：第二の領域＝１：２。車速に応じてさらに細かく分割割合を設定しても良い。
【００１５】
ここで、メニュー画面に重畳表示する音質調整画面の領域の数は２に限るものではなく、３以上であってもよい。３以上を設ける理由としては、既定の周波数帯域を低音域及び中音域及び高音域の３つに分割する場合であり、分割する周波数を変えることでより細かな設定が可能になる。また一般的にＮ（Ｎは４以上の整数）分割としてもよい。
【００１６】
次に、上記のように構成された音楽再生装置制御装置１４による処理の一例について、図４に示すフローチャートを用いて説明する。
【００１７】
図３（ａ）に示すメニュー画面の「開始」ボタンのクリック操作等により音楽再生開始を受け付けると（ＳＴ１）、車速取得部１１は車速を取得する（ＳＴ２）。車速取得部１１が取得した車速が０より大きい（ＳＴ３）場合、すなわち走行中である場合に、取得した車速に応じて第一の領域（音質調整画面の高音域を調整するための領域）と第二の領域（音質調整画面の低音域を調整するための領域）の面積を決定し、第一の領域と第二の領域からなる音質調整画面を表示部１５に生成し、メニュー画面に重畳表示する（ＳＴ４）。ここで第二の領域に対するフリック操作がされた場合（ＳＴ５  Ｙｅｓ）に、第二の領域に対するフリック操作に応じて低音域を強調する調整を行う（ＳＴ６）。フリック操作が第二の領域に対するものではなく、第一の領域に対する操作が行われた場合（ＳＴ７  Ｙｅｓ）に、フリック操作に応じて高音域を強調する調整を行う（ＳＴ８）。第一の領域あるいは第二の領域に対するフリック操作に基づいて行われた音質調整値を反映して、第一の領域と第二の領域の面積を再計算し（ＳＴ９）、再計算に基づき第一の領域と第二の領域を再表示する（ＳＴ１０）。
【００１８】
図３（ｂ）に対して、図５（ａ）では、図１の車速取得部１１が取得する車速が大きくなり、その結果、走行ロードノイズが大きくなるため、低音域を強調する操作をユーザーに促すべく、低音域を強調する操作を行うための第二の領域の面積を広げる。第二の領域の領域が広がることにより、ユーザーは視覚的にロードノイズの増加の影響で、音楽の低音域を強調する必要が生じたことを容易に認識できる。
【００１９】
なお、本発明の音質調整画面は、走行及び停止を頻繁に繰り返す一般道路より、ロードノイズの影響が顕著に起こる高速走行する場合に特に有効である。従って例えば地図情報から車両が走行している道路の道路種別を取得し、走行道路の道路種別が高速道路あるいは自動車専用道路であり、そこを所定速度（例えば６０ｋｍ／時）より大きい速度で走行するときに、本発明の音質調整画面を表示するようにしてもよい。音質調整画面を表示するための条件として、車速が所定速度（例えば６０ｋｍ／時）より大きいことに加え、その車速が予め定められた時間継続することとしてもよい。
【００２０】
ユーザーが視覚的にロードノイズの増加を認識すると、ユーザーが低音域の強調を必要と判断した場合に、低音域を強調すべくユーザーはメニュー画面の第二の領域に対してフリック操作を行う。フリック操作により変更された割合の設定値をＣＰＵ２１経由でＤＳＰ２３へ設定値を通知する。ＤＳＰ２１では通知された設定値を元に、再生されている音楽再生装置１５（ＣＤ、ＤＶＤ、ＵＳＢ−Ａｕｄｉｏ、ＡＭラジオ、ＦＭラジオ等）に対し、高音域及び低音域に対する音質調整の設定値を反映させる。音楽再生装置１５は、設定値を反映させた信号を不図示のＡＭＰにより増幅し、不図示のスピーカーにて再生させる。
【００２１】
フリック操作により第二の領域が強調されて行くに従い、低音域の強調が行われ、第二の領域の面積を狭めて行く。車速により広がった第二の領域をフリック操作により低音域を強調するとともに、第二の領域の面積を狭め、図５（ｂ）に示すように第二の領域と第一の領域が均等にすることで、ユーザーは直感的に各帯域の音質が均一になったことを認識できる。
【００２２】
第二の領域の操作を例に説明したが、第一の領域及び第二の領域の各領域に対してフリック操作を定義付けることが可能であり、フリック操作により領域の幅を変えることができる（任意の車速においも操作可能である）。
【００２３】
なお、フリック操作は、操作によって音質の強調する効果を小から大に変える操作としても良いし、逆に大から小に変える操作としてもよい。また、フリック操作の向きによって、左から右に向かう操作を大から小に変える操作とし、右から左に向かう操作を小から大に変える操作としても良いし、その逆として良い。
【００２４】
さらに、音質調整画面はメニュー画面に重畳表示するものに限るものではなく、例えば音楽再生装置とナビゲーション装置とが一体に構成される装置に対しては、経路案内、目的地設定等を行うナビ画面に本発明の音質調整画面を重畳表示し音楽調整を行うようにしてもよい。
【００２５】
また、メニュー画面、ナビ画面に重畳表示される音質調整画面の第一の領域と第二の領域を例えばそれぞれ別の指で同時にフリック操作をすることによって、メニュー画面の「開始」「停止」「再開」及び「ＭＥＮＵ」の各操作、ナビ画面の各設定を行えるようにしてもよい。その際、重畳表示されていた音質調整画面を縮小して、表示部１５の例えば右上の隅にウインドウ領域を設け、そこに音質調整画面のアイコンを小さく表示するようにして、メニュー画面の操作を行うようにしてもよい。こうすることによって、音質調整画面を重畳表示している時でも、音質調整画面をアイコン化し、再生中の音楽の停止・再開、あるいは音楽を変更するようにできる。
【００２６】
上記以外にも、本発明はその発明の範囲内において、実施の形態の任意の構成要素の変形、または実施の形態の任意の構成要素の省略が可能である。
【符号の説明】
【００２７】
１１  車速取得部、１２  音質調整画面生成部、１３  音質調整部、１４  車載音楽再生制御装置、１５  表示部、１６  音楽再生装置
２１  ＣＰＵ、２２  メモリ、２３  ＤＳＰ
３１  メニュー画面、３２  第一の領域、３３  第二の領域
【図１】
2019175069.tif 000003
【図２】
2019175069.tif 000004
【図３】
2019175069.tif 000005
【図４】
2019175069.tif 000006
【図５】
2019175069.tif 000007